(57)【要約】【課題】指針の覆い部材（ボス）を強調して視認者に視認させる構造を、指針の回転中心部周りのみで構成可能な車両用計器を提供する。【解決手段】文字板６と、文字板６上を回動する指針９と、指針９の回転中心部を覆うボス７と、ボス７の表面に照射するための発光ダイオード１０と、ボス７の前記表面に、入射した光を線模様状に反射する拡散層７１ａを設け、上記照射光を前記表面で視認する方向に反射するボス７の表面形状とを備えた車両用計器１において、文字板６は、文字板６の裏面６ｂ側に凹んだ凹部６ｄを有し、指針９の回転中心部は、凹部６ｄ内に配置されている。さらに、発光ダイオード１０は、上記照射光が凹部６ｄの側壁６ｄｈを透過してボス７の表面に入射するように、文字板６の裏面６ｂ側に配置されている。【選択図】図２
2008032559.tif 000002
【特許請求の範囲】
【請求項１】
前記文字板と、
前記文字板上を回動する指針と、
前記指針の回転中心部を覆う覆い部材と、
前記覆い部材の表面に照射するための光源と、
前記覆い部材の前記表面に、入射した光を線模様状に反射する拡散層を設け、前記光源の光を前記表面で視認する方向に反射する前記覆い部材の表面形状とを備えた車両用計器において、
前記文字板は、前記文字板の裏面側に凹んだ凹部を有し、
前記指針の前記回転中心部は、前記凹部内に配置され、
前記光源は、前記光源の光が前記凹部の側壁を透過して前記覆い部材の前記表面に入射するように、前記文字板の裏面側に配置されていることを特徴とする車両用計器。
【請求項２】
前記光源からの光を、前記側壁を通して前記覆い部材の前記表面に導く導光部を備え、
前記導光部は、前記文字板の前記凹部に配置された導光板であることを特徴とする請求項１に記載の車両用計器。
【請求項３】
前記導光部は、
前記光源の光を前記凹部の前記側壁の外周面に照射する第１導光照射面と、
前記光源の近傍から前記第１導光照射面まで延出し、前記光源の光を導入する導光入射面と、
前記第１導光照射面と前記導光入射面との間に設けられ、前記導光部に導かれた入射光を反射する第１導光反射面と、
を備えていることを特徴とする請求項２に記載の車両用計器。
【請求項４】
前記導光部は、前記光源の光を、前記凹部を除く、前記文字板の裏面に照射する第２導光照射面とを備え、
前記導光入射面より延出する前記導光部は、前記第１導光照射面を構成する第１導光部と、前記第２導光照射面を構成する第２導光部に分岐されていることを特徴とする請求項３に記載の車両用計器。
【請求項５】
前記導光板は、前記凹部の前記側壁の外周に沿って、前記光源の光を照射する複数の光照射部を備えていることを特徴とする請求項２から請求項４のいずれか一項に記載の車両用計器。
【請求項６】
前記導光板は、前記凹部の前記側壁を挿通可能な開口部を有し、
前記光照射部は、前記開口部の内周から前記側壁に向かって延出していることを特徴とする請求項５に記載の車両用計器。
【請求項７】
前記光照射部および前記凹部の前記側壁のいずれかの表面には、着色層または蛍光層が形成されていることを特徴とする請求項５または請求項６に記載の車両用計器。
【請求項８】
前記複数の光照射部は、前記側壁の外周に沿って環状に配置されていることを特徴とする請求項５から請求項７のいずれか一項に記載の車両用計器。
【請求項９】
請求項１から請求項６のいずれか一項に記載の車両用計器は、前記光源を複数有しており、
前記複数の光源は、前記光源の発光色が異なっていることを特徴とする車両用計器。
【請求項１０】
前記覆い部材は、前記表面を有するボス部とを備え、
前記ボス部の前記表面形状は、円錐であることを特徴とする請求項１から請求項９のいずれか一項に記載の車両用計器。
【請求項１１】
前記覆い部材は、前記ボス部と、前記ボス部の頂部側に設けられた円筒部とを備えていることを特徴とする請求項１０に記載の車両用計器。
【請求項１２】
前記拡散層は、前記表面に設けられた複数の溝で形成され、
前記複数の溝は、前記表面に同心円状に配置されていることを特徴とする請求項１から請求項１１のいずれか一項に記載の車両用計器。
【発明の詳細な説明】
【技術分野】
【０００１】
本発明は、指針を有する車両用計器に関するものである。
【背景技術】
【０００２】
従来、指針を有する車両用計器は、文字板と、文字板の前面側に配置され、文字板上を回動する指針と、指針の回転中心部を覆う覆い部材（以下、ボスと呼ぶ）とを備えている。ここで、このボスは、指針基部（指針軸）や、指針軸が挿通している文字板の開口部を隠し、運転者等に視認されないようにするために用いられている。
【０００３】
特許文献１では、ボスの形状を円錐し、その円錐表面に同心円状の溝を設けるとともに、文字板の外周に光源を設けて、この光源による外部照明光を前記円錐表面に向けて照射する技術を開示している。この技術は、外部照明光でボスの前記円錐表面を照射することによりボス自体を強調して視認者に見せることができる。
【特許文献１】特開２００６−８４１９７号公報
【発明の開示】
【発明が解決しようとする課題】
【０００４】
従来技術では、外部照射光を文字板外周から照射する構造となっているため、外部照射光を照射する文字板外周部を前面側から覆う必要がある。文字板外周部を前面側から覆うことにより、文字板上の表示意匠部等を見栄え良く視認させるための表示意匠への制約が生じるという問題がある。
【０００５】
本発明は、このような事情を考慮してなされたものであり、その目的は、指針の覆い部材（ボス）を強調して視認者に視認させる構造を、指針の回転中心部周りのみで構成可能な車両用計器を提供することにある。
【課題を解決するための手段】
【０００６】
本発明は上記目的を達成するために、以下の技術的手段を備える。
【０００７】
即ち、請求項１乃至１２に記載の発明では、文字板と、文字板上を回動する指針と、指針の回転中心部を覆う覆い部材と、覆い部材の表面に照射するための光源と、覆い部材の前記表面に、入射した光を線模様状に反射する拡散層を設け、光源の光を前記表面で視認する方向に反射する覆い部材の表面形状とを備えた車両用計器において、文字板は、文字板の裏面側に凹んだ凹部を有し、指針の回転中心部は、凹部内に配置され、光源は、光源の光が凹部の側壁を透過して覆い部材の表面に入射するように、文字板の裏面側に配置されていることを特徴とする。
【０００８】
これにより、文字板の裏面側に凹んだ凹部内に、指針の回転中心部を覆う覆い部材を配置することが可能であるので、光源から凹部の側壁を介して入射した光を、覆い部材の表面で反射させることにより、覆い部材の前記表面を強調して視認させられる。しかも、覆い部材の表面に照射するための光源を、文字板の裏面側に配置したので、従来技術のような、文字板の外周部に、文字板とは別部材の覆いを設ける等の表示意匠上の制約が生じることはない。
【０００９】
したがって、指針の覆い部材（ボス）を強調して視認者に視認させる構造を、例えば凹部近傍（文字板の中心部側）に配置した、指針の回転中心部周りのみで構成することができる。
【００１０】
また、請求項２乃至４に記載の発明では、光源からの光を、前記側壁を通して覆い部材の前記表面に導く導光部を備え、導光部は、文字板の凹部に配置された導光板であることを特徴とする。
【００１１】
これによると、光源からの光を凹部の側壁を通して覆い部材の表面に導く導光部を、比較的に簡易な構造の導光板で構成することが可能あるので、比較的安価な車両用計器を提供することができる。
【００１２】
また、請求項３に記載の発明では、導光部は、光源の光を凹部の側壁の外周面に照射する第１導光照射面と、光源の近傍から第１導光照射面まで延出し、光源の光を導入する導光入射面と、第１導光照射面と導光入射面との間に設けられ、導光部に導かれた入射光を反射する第１導光反射面とを備えていることを特徴とする。
【００１３】
これによると、導光部は、凹部の側壁側に配置された第１導光照射面と、光源側に配置された導光入射面との間に、導光部に導かれた入射光を反射する第１導光反射面を備えているので、凹部の側壁に対する光源の配置自由度の向上が図れる。
【００１４】
例えば光源の配置方法としては、文字板の裏面側かつ凹部の近傍に限定して配置されるものに限らず、文字板の裏面側、かつ文字板の中心部側（内周部）に配置されるものであってもよく、文字板の外側に配置されるものでなけければ文字板の裏面側のいずれでもよい。
【００１５】
また、請求項４に記載の発明では、導光部は、光源の光を、凹部を除く、文字板の裏面に照射する第２導光照射面とを備え、導光入射面より延出する導光部は、第１導光照射面を構成する第１導光部と、第２導光照射面を構成する第２導光部に分岐されていることを特徴とする。
【００１６】
これによると、文字板の裏面および凹部の側壁の外周面を照射する光を、一つの光源から発することが可能である。例えば文字板の裏面および凹部の側壁の外周面に光を照射するための光源の配置が容易となる。
【００１７】
また、請求項５乃至８に記載の発明では、導光板は、凹部の側壁の外周に沿って、光源の光を照射する複数の光照射部を備えていることを特徴とする。
【００１８】
これによると、光源から凹部の側壁を介して覆い部材の表面に照射される光は、複数の光照射部を通して、覆い部材の表面における周方向の特定領域に限定して入射することになるので、視認者に、覆い部材の表面の特定領域を際立たせる様に、反射した光を視認させることが可能である。
【００１９】
また、請求項６乃至８に記載の発明では、導光板は、凹部の側壁を挿通可能な開口部を有し、光照射部は、開口部の内周から側壁に向かって延出していることを特徴とする。
【００２０】
これにより、光源から光照射部を通して覆い部材の表面に入射する光は、覆い部材の表面のうちの、特定領域に限定して容易に入射される。
【００２１】
さらに、例えば特定領域を見栄えのある斬新な発光表示させる場合において、光照射部は、開口部の内周から側壁側へ突出しているので、光が導かれる光照射部の先端表面に、着色層や蛍光層を容易に設けることができる。
【００２２】
また、請求項７に記載の発明では、光照射部および凹部の側壁のいずれかの表面には、着色層または蛍光層が形成されていることを特徴とする。
【００２３】
これにより、覆い部材の表面の特定領域を、見栄えのある斬新な発光表示させられるので、更に際立たせて指針の覆い部材を強調して視認者に視認させることができる。
【００２４】
また、請求項８に記載の発明では、複数の光照射部は、前記側壁の外周に沿って環状に配置されていることを特徴とする。
【００２５】
これによると、覆い部材の表面のうちの、環状に配置された特定領域で反射した光により、視認者に、特定領域の形状を映した反射光を周方向に連続した模様状に強調して視認させることができる。
【００２６】
また、請求項９に記載の発明では、請求項１から請求項６のいずれか一項に記載の車両用計器は、光源を複数有しており、複数の光源は、光源の発光色が異なっていることを特徴とする。
【００２７】
これによると、発光色の異なる複数の光源を有しているので、光源から凹部の側壁を介して入射した光を、覆い部材の表面で反射させることにより、覆い部材の前記表面を発光色の異なる反射光で強調して視認者に視認させることが可能である。
【００２８】
例えば導光板に設けられた複数の光照射部と、上記発光色の異なる複数の光源とを所定の配置で配置することにより、覆い部材の表面の特定領域を異なる反射光により際立たせる様に視認者に視認させることが可能である。
【００２９】
また、請求項１０乃至１２に記載の発明では、覆い部材は、前記表面を有するボス部とを備え、ボス部の前記表面形状は、円錐であることを特徴とする。
【００３０】
これによると、前記表面に入射した光を線模様状に反射する拡散層を設け、光源の光を前記表面で視認する方向に反射する前記表面形状は、円錐形状とすることができる。
【００３１】
また、請求項１１に記載の発明では、覆い部材は、ボス部と、ボス部の頂部側に設けられた円筒部とを備えていることを特徴とする。
【００３２】
これによると、覆い部材は、指針の回転中心部を内部に配置する凹部に、前記表面を有するボス部が回転中心部と共に凹部内に配置されるので、円筒部は凹部内に配置される必要はない。
【００３３】
また、請求項１２に記載の発明では、拡散層は、前記表面に設けられた複数の溝で形成され、複数の溝は、前記表面に同心円状に配置されていることを特徴とする。
【００３４】
これによると、光源の光を覆い部材の前記表面に当てる場合において、覆い部材の前記表面に、放射状の線模様を反射光により表すことができる。
【発明を実施するための最良の形態】
【００３５】
以下、本発明の車両用計器を、自動車用に搭載されるコンビネーションメータに適用して具体化した実施形態を図面に従って説明する。
【００３６】
図１は、本実施形態による車両用計器を示す正面図である。図２は、本実施形態による車両用計器の断面図であり、図１中のＩＩ方向からみた断面図である。図３は、図１中の光源からの光を導く導光部と、指針の覆い部材との関係を示す模式的平面図である。図４は、本実施形態による車両用計器の電気回路を示す回路構成図である。なお、図３において、文字板を図示することを説明便宜上、省略している。
【００３７】
車両用指針計器であるコンビネーションメータ１は、自動車の運転席前方に配置されて自動車に関する各種情報を表示し、図１の紙面の上側から運転者により視認される。
【００３８】
コンビネーションメータ１は、図１に示すように、例えば走行速度を表示する速度計を構成しており、文字板６と、文字板に表示されている表示意匠部２と、表示意匠部２を指し示す指針９と、指針９の覆い部材としてのボス７と、光源１０とを含んで構成されている。なお、光源（以下、発光ダイオード）１０は、例えば発光ダイオード（ＬＥＤ）を用いており、本実施例では、図１に示すように、複数（本実施例では２個）の白色光を発する発光ダイオード１０が配置されている。
【００３９】
文字板６は、図１に示すように、走行速度の０、２０、４０等の文字、およびこれらの間を按分して読取るための目盛りが、発光表示または透過表示可能に設けられている。具体的には、文字板６は、透光性を有する材料、例えば透明なポリカーボネート樹脂等の板材から形成されている。文字板６の表面６ａまたは裏面６ｂには、文字部（数字を含む）２ａと目盛り部２ｂが透過可能な状態に、これらの文字部および目盛り部２ｂの背景部分がつや消し等の不透光状態となるように、印刷またはホットスタンプ等を施して形成されている。
【００４０】
文字板６の中央には、後述するムーブメント８の指針軸（以下、シャフトともいう）８ａを挿通させるための貫通孔６ｃが設けられ、文字板６の裏面６ｂ側には、発光ダイオード１０と、発光ダイオード１０からの光を指針９のボス７や文字板６に導く導光部（以下、導光板）６１が配置されている。
【００４１】
また、本実施形態では、文字板６の中央には、文字板６の裏面６ｂ側に凹んだ凹部６ｄが設けられている。この凹部６ｄ内には、指針９の指針軸８ａおよび貫通孔６ｃ（以下、指針軸８ａおよび貫通孔６ｃを回転中心部と呼ぶ）が配置されており、指針９の回転中心フ゛８ａ、６ｃを覆うボス７が凹部６ｄ内を回動可能である。
【００４２】
さらにまた、本実施形態では、文字板６の凹部６ｄのうちの側壁６ｄｈは、上記背景部分と異なり透過可能な状態に形成されている。これにより、光源（発光ダイオード１０）光を、側壁６ｄｈを通してボス７へ入射させることができる。
【００４３】
さらにまた、本実施形態では、凹部６ｄの側壁６ｈの内周または外周（本実施例では内周）に、発光ダイオード１０の光を受けて光に色付けするための着色層２ｃが形成されており、この着色層２ｃは、照明色出し印刷用の例えば赤、青、アンバなどの印刷が施されている。なお、着色層２ｃは、これに限らず、発光ダイオード１０の光を受けて蛍光を発するもの（以下、蛍光層）であってもよい。
【００４４】
導光板６１は、図２に示すように、文字板６に重ねて配置されており、発光ダイオード１０からの光を指針９のボス７や文字板６に導いて、これらを透過照明する。具体的には、導光板６１は、図３に示すように、開口部６４と、第１導光部６２と、第２導光部とを有しており、導光板６１は、開口部６４に文字板６の凹部６ｄを挿入し、平板状に伸びている第１導光部６２および第２導光部６３を文字板６の裏面６ｂに重ねて配置されている。
【００４５】
なお、ここで、導光板６１は、後述する共通の導光入射面６１ａより文字板６側に延出しているともに、第１導光部６２と第２導光部６３とに分岐している。これにより、導光入射面６１ａより入射した光は、第１導光部６２と第２導光部６３の両方に導かれる。
【００４６】
第１導光部６２は、図３に示すように、導光入射面６１ａと、第１導光反射面６１ｃと、第１導光照射面６１ｂとを有しており、発光ダイオード１０からの光を、導光入射面６１ａより内部に入射する。また、第１導光照射面６１ｂは、文字板６の凹部６ｄの側壁６ｄｈに対向して配置されており、導光入射面６１ａより内部に入射した光が第１導光反射面６１ｃで反射されて第１導光照射面６１ｂへ向けて導かれるように、第１導光反射面６１ｃが第１導光照射面６１ｂと導光入射面６１ａとの間で配置されている。第１導光照射面６１ｃを透過した光は、凹部６ｄの側壁６ｄｈへ導かれ、側壁６ｄｈを透過照射し、ボス７の表面へ入射する。
【００４７】
第２導光部は、図３に示すように、上記第１導光部６２と共通の導光入射面６１ａと、第２導光反射面６１ｄと、第１導光照射面６１ｅとを有している。第２導光反射面６１ｄは、第２導光照射面６１ｅと導光入射面６１ａとの間で配置されており、導光入射面６１ａより内部に入射した光が第１導光反射面６１ｃで反射されて第１導光照射面６１ｂへ向けて導かれる。
【００４８】
詳しくは、第１導光反射面６１ｃで反射した光は、第２導光照射面６１ｅとは反対面に形成された第２導光部６２の拡散反射層により、第２導光照射面６１ｅへ導かれる。第２導光照射面６１ｅを透過した光は、文字板６の文字部２ａおよび目盛り部２ｂへ導かれ、これらを透過照明する。なお、上記反対面に設けた拡散反射層に代えて、第２導光部６３に上記反対面に、図示しない拡散反射板を重ねて配置するものであってもよい。
【００４９】
また、本実施形態では、上記第１導光部６２は、着色層２ｃが形成された凹部６ｄの側壁６ｄｈの外周に沿って、図３に示すように、内部に向かって凸部状に複数（本実施例では、８個）の光照射部６２ａを有している。詳しくは、導光板６１の開口部６４の内周から側壁６ｄｈに向かって延出している。
【００５０】
さらにまた、本実施形態では、上記８個の光照射部６２ａは、側壁６ｄｈの外周に沿って環状に配置されている。
【００５１】
なお、上記複数の光照射部６２ａを側壁６ｄｈの外周に配置する場合には、各光照射部６２ａの光を出射する位置は、後述の指針９の回転中心部８ａ、６ｃ、すなわちボス７に対してほぼ同心円上に配置されていることが好ましい。これにより、指針７および回転中心部８ａ、６ｃがどの回転角度位置にあっても、ボス７の表面に入射する光強度が変化しないように構成できる。
【００５２】
指針９は、図１および図２に示すように、文字板６の前方（表面６ａ側）に配置され、文字板６上を回動する指針部９ａとを有している。この指針部９ａには、ムーブメント８の指針軸８ａが接続されている。これに限らず、指針９は指針部と指針軸とを有し、この指針軸とムーブメント８のシャフトが接続しているものであってもよい。
【００５３】
ボス７は、図１および図２に示すように、指針軸８ａおよび文字板６の貫通孔６ｃを隠すように、指針９の前方（表面６ａ側）に配置されている。詳しくは、このボス７は、文字板６の凹部６ｄ内に収容されているボス部７１と、ボス部７１の表面形状の頂部側に配設された円筒部（以下、キャップ部）７２とを有しており、上記第１導光部６１ｂより側壁６ｄｈを通してボス７へ入射する光は、ボス部７１の表面で反射する。
【００５４】
ボス部７１は、図２に示すように、その表面形状が円錐形状である。すなわち図１の正面図に示すように、（視認者が文字板６をみる）正面からみると、ボス７の外周形状は円形状であり、図２の断面図に示すように、断面形状は三角形形状となっている。
【００５５】
また、ボス部７１は、例えば白色の樹脂や金属等（本実施例では金属）で形成されている。ボス部７１の材料は、これらのいずれかに限らず、回転中心部８ａ、６ｃを隠すように覆えると共に、透光性を有せず、光を反射する材料であればよい。
【００５６】
なお、ボス部７１の内部を空洞化し、その内部に指針９を発光させるための光源または導光体を収容させるように構成してもよい。
【００５７】
このボス部７１の表面には、入射した光を線模様状に反射する拡散層７１ａが形成されている。詳しくは、例えば拡散層７１ａは、円錐の頂部を中心とした同心円状の複数の小さな溝から形成されている。拡散層７１ａは、これらの溝により同心円状の線（ヘヤライン）模様が構成され、これらの溝に光が当たると、拡散層７１ａで反射した光は、同心円状の線模様状となる。
【００５８】
キャップ部７２は、ボス部７１の円錐表面に円錐台面を形成する、例えば円筒形状に形成されている。これにより、ボス７を正面から視認者がみるとき、ボス部７１の円錐表面を、円環形状にみることができる。
【００５９】
なお、上記ボス部７１とキャップ部７２は、同じ材料で一体に形成するものであっても、別材料で一体に組付けるものであってよい。なお、ボス７は、キャップ部７２を有せず、ボス部７２だけである場合であってもよい。この場合、ボス７は、全体が円錐表面形状を有している。
【００６０】
上記ムーブメント８、発光ダイオード１０、および制御回路１１は、図２に示すように、文字板６の後方（裏面６ｂ側）に配置されたプリント基板１２に実装されている。本実施例では、発光ダイオード１０を文字板６の裏面６ｂ側に配置した構成として説明したが、これに限らず、発光ダイオード１０を、文字板６の裏面６ｂ側かつ凹部６ｄの近傍に配置する構成、あるいは文字板６とムーブメント８との間に発光ダイオード１０を配置する構成であってもよい。発光ダイオード１０を上記凹部６ｄの近傍に配置するとは、文字板６の中心部側に、発光ダイオード１０乃至ボス７の反射光表示に係わる第１導光部６２の構成を集約して配置することである。
【００６１】
次に、コンビネーションメータ１の電気回路構成について、図４に従って説明する。マイクロコンピュータ等から構成される制御回路１１には、バッテリ４から電力が常時供給されている。制御回路１１には、イグニッションスイッチ３が、その作動状態（ＯＮまたはＯＦＦ）を検出可能に接続されている。また、制御回路１１には、自動車の走行速度を検出する速度センサ５が検出信号を入力可能に接続され、発光ダイオード１０およびムーブメント８も接続されている。
【００６２】
上述の構成を有するコンビネーションメータ１の作動について説明する。運転者によってイグニッションスイッチ３がオンされると、図４に示すように、制御装置１１は、それを検出して作動を開始し、発光ダイオード１０を点灯させると共に、ムーブメント８を駆動する。これにより、制御装置１１は、速度センサ５からの出力信号に基づき、自動車の車速を算出し、これに対応した角度だけ指針９を回動させるように、ムーブメント８を駆動する。
【００６３】
発光ダイオード１０による文字板６の照明と、指針９のボス７の反射光表示について以下説明する。
【００６４】
点灯された発光ダイオード１０の白色光は、導光板６１において、第２導光反射面６１ｄを介して第２導光部６３に導かれ、第２導光照射面６１ｅの全体にわたって均一化されて、文字板２の文字２ａおよび目盛り部２ｂを透過照明する。これにより、文字部２ａと目盛り部２ｂは、白色で発光表示され、文字２１と目盛２２の背景部分は、例えば印刷色相当の青色で表示される。
【００６５】
一方、点灯された発光ダイオード１０の白色光は、第１導光反射面６１ｃを介して第１導光部６２に導かれる。第１導光部６２に導かれた白色光は、第１導光照射面６１ａから出射し、凹部６ｄの側壁６ｄｈを透過してボス部７１の表面に入射する。側壁６ｄｈは着色層２ｃにより白色光を、例えば照明色出し印刷色相当のアンバ色の透過光に代えて、入射したアンバ色の光がボス部７１の表面を反射する。これにより、ボス部７１の表面において、アンバ色の反射光が同心円による線模様状に視認することができる。
【００６６】
さらに、上記第１導光部６１は、凹部６ｄの側壁６ｄｈの外周に沿って環状に配置された８個の光照射部６１ａを有するので、環状配置された８個の光照射部６１ａに対応する着色層２ｃの特定領域のみを、アンバ色の透過光に代えて、上記同心円による線模様状の反射光を際立てさせる。
【００６７】
さらになお、着色層２ｃを、例えばアンバ色と、赤色とで、周方向に沿って交互に設定するように構成することが好ましい。これにより、ボス部７１の表面を、アンバ色と赤色とで色調を変えた反射光により際立てさせることができる。
【００６８】
以上説明した本実施形態では、文字板６の裏面６ｂ側に凹んだ凹部６ｄを設け、この凹部６ｄ内に、指針の回転中心部８ａ、６ｃを配置するように構成した。さらに、発光ダイオード１０は、その光が凹部６ｄの側壁６ｄｈを透過して、回転中心部８ａ、６ｃを覆うボス７の表面に入射するように、文字板６の裏面６ｂ側に配置されている。
【００６９】
このように構成することにより、文字板６の裏面６ｂ側に凹んだ凹部６ｄ内に、指針９の回転中心部８ａ、６ｃを覆うボス７を配置することが可能であるので、発光ダイオード１１から凹部６ｄの側壁６ｄｈを介して入射した光を、ボス７の表面で反射させることにより、指針９におけるキャップ表面を強調して視認させられる。しかも、ボス７の表面に照射するための発光ダイオード１０を、文字板６の裏面６ｂ側に配置したので、従来技術のような、文字板の外周部に文字板とは別部材の覆いを設けるなどの表示意匠上の制約が、生じることはない。
【００７０】
したがって、指針９のボス７を強調して視認者に視認させる構造を、凹部６ｄ近傍（文字板６の中心部側）に発光ダイオード１０、その光を導く導光体（導光部）６１を集約して配置するなどのように、指針９の回転中心部周りのみで構成することができる。
【００７１】
また、以上説明した本実施形態では、発光ダイオード１０からの光を、凹部６ｄの側壁６ｄｈを通してボス７の表面に導く導光体は、文字板６に重ね配置する導光板６１で構成した。これにより、発光ダイオード１０からの光（以下、光）を凹部６ｄの側壁６ｄｈを通してボス７の表面に導く導光体を、比較的に簡易な構造の導光板で構成することが可能あるので、比較的安価な車両用計器（コンビネーションメータ）１を提供することができる。
【００７２】
また、上記凹部６ｄ近傍（文字板６の中心部側）に発光ダイオード１０等を集約配置するなど、指針９の回転中心部周りのみで構成する方法として、本実施形態では、導光板６１は、光を凹部６ｄの側壁６ｄｈの外周面に照射する第１導光照射面６１ｂと、発光ダイオード１０の近傍から第１導光照射面６１ｂまで延出し、その光を導入する導光入射面６１ａと、第１導光照射面６１ｂと導光入射面６１ａとの間に設けられ、この導光板６１に導かれた入射光を反射する第１導光反射面６１ｃとを備えている。
【００７３】
これによると、導光板６１は、凹部６ｄの側壁６ｄｈに配置された第１導光照射面６１ｂと、発光ダイオード１０側に配置された導光入射面６１ａとの間に、導光板６１に導かれた入射光を反射する第１導光反射面を備えているので、凹部６ｄの側壁６ｄｈに対する発光ダイオード１０の配置自由度の向上が図れる。
【００７４】
したがって、例えば光源の配置方法としては、文字板の裏面側かつ凹部の近傍に限定して配置されるものに限らず、文字板の裏面側、かつ文字板の中心部側（内周部）に配置されるものであってもよい。
【００７５】
また、以上説明した本実施形態では、導光板６１は、光を、凹部６ｄを除く、文字板６の裏面６ｂに照射する第２導光照射面６１ｅとを備え、第１導光照射面６１ｂを構成する第１導光部６２と、第２導光照射面６１ｅを構成する第２導光部６３に分岐されるように構成されている。
【００７６】
これによると、文字板６の裏面６ｂおよび凹部６ｄの側壁６ｄｈの外周面を照射する光を、一つの発光ダイオード１０から発することが可能である。例えばプリント基板に発光ダイオード１０を実装する場合において、文字板６の裏面６ｂおよび凹部６ｄの側壁６ｄｈに光を照射するための発光ダイオード１０の配置が容易となる。
【００７７】
また、以上説明した本実施形態では、導光板６１は、凹部６ｄの側壁６ｄｈの外周に沿って、光を照射する複数の光照射部６１ａを備えている。
【００７８】
これによると、発光ダイオード１０から側壁６ｄｈを介してボス７の表面に照射される光は、これらの光照射部６ａを通して、ボスの表面における周方向の特定領域に限定して入射することになる。すなわち、各光照射部６ａに対応する側壁６ｄｈの特定領域を透過する光がボスの表面に入射されるので、発光ダイオード１０からの照射光は、ボス７の表面における周方向の特定領域に限定して入射する。
【００７９】
したがって、視認者に、指針９のボス７の表面の特定領域を際立たせる様に、反射した光を視認させることが可能である。
【００８０】
また、以上説明した本実施形態では、凹部６ｄの側壁６ｄｈの内周面に、着色層２ｃが形成されている。
【００８１】
これにより、上記ボス７の表面の特定領域を、見栄えのある斬新な発光表示させられるので、更に際立たせて指針９のボス７を強調して視認者に視認させることができる。
【００８２】
なお、着色層２ｃを形成する面は、凹部６ｄの側壁６ｄｈの内周面に限らず、側壁６ｄｈの外周面、あるいは第１導光部６２の光照射部６２ａの表面であってもよい。
【００８３】
また、以上説明した本実施形態では、導光板６１は、凹部６ｄの側壁６ｄｈを挿通可能な開口部６４を有し、光照射部６２ａは、開口部６４の内周から側壁６ｄｈに向かって延出していることが好ましい。これにより、発光ダイオード１０から光照射部６２ａを通してボス７の表面に入射する光は、ボス７の表面のうちの、特定領域に限定して容易に入射される。
【００８４】
さらに、例えば特定領域を見栄えのある斬新な発光表示させる場合において、光照射部６ａは、上記の如く、開口部６４の内周から側壁６ｄｈ側へ突出しているので、光が導かれる光照射部６ａの先端表面に、着色層を印刷等により容易に設けることができる。
【００８５】
また、以上説明した本実施形態では、上記複数の光照射部６２ａは、側壁６ｄｈの外周に沿って環状に配置されている。これによると、ボス７の表面のうちの、環状に配置された光照射部６２ａに対応する特定領域で反射する。そしてその反射した光により、視認者に、ボス７を、特定領域の形状を映した反射光を周方向に連続した模様状に強調して視認させることができる。
【００８６】
なお、以上説明した本実施形態において、上記ボス７は、上記表面を有するボス部７１とを備え、ボス部７１の表面形状を、円錐であるように構成している。
【００８７】
これによると、上記表面に入射した光を線模様状に反射する拡散層２ｃを設け、発光ダイオード１０の光を上記表面で視認する方向に反射する表面形状は、円錐形状とすることができる。
【００８８】
また、以上説明した本実施形態において、上記拡散層２ｃは、ボス部７１の表面に設けられた複数の溝７１ａで形成され、複数の溝７１ａは、その表面に同心円状に配置されている。
【００８９】
これにより、発光ダイオード１０の光をボス７の表面に当てる場合において、ボス７のボス部７１表面に、放射状の線模様を反射光により表すことができる。
【００９０】
（他の実施形態）
以上、本発明の一実施形態について説明したが、本発明は、かかる実施形態に限定して解釈されるものではなく、その要旨を逸脱しない範囲内において種々の実施形態に適用可能である。
【００９１】
（１）例えば指針９のボス７を強調して視認させる構造において、ボス７の表面うちの、円錐状のボス部７の円錐表面に、文字板６の凹部６ｄの側壁６ｄｈを通して光が入射するものとして説明した。これに限らず、ボス９の全体表面が円錐表面に形成されてその全体表面に側壁６ｄｈを通して光が入射するものであってもよく、ボス７は透光性を有せず、入射した光を視認者が視認するように反射する表面形状を有するものであればいずれであってもよい。
【００９２】
（２）なお、上記ボス部７１を有するボス７において、ボス７は、ボス部７１と、ボス部７１の頂部側に設けられた円筒状のキャップ部７２とを有していると説明した。これにより、ボス７は、指針９の回転中心部８ａ、６ｃを内部に配置する凹部６ｄに、円錐表面を有するボス部７１が回転中心部８ａ、６ｃと共に凹部内に配置されるので、キャップ部７２は凹部６ｄ内に配置される必要はないのである。
【００９３】
（３）また、以上説明した本実施形態では、凹部６ｄの側壁６ｈの内周面に、発光ダイオード１０の光を受けて光に色付けするための着色層２ｃが形成されていると説明した。着色層２ｃを形成する面は、凹部６ｄの側壁６ｄｈの内周面に限らず、側壁６ｄｈの外周面、あるいは第１導光部６２の光照射部６２ａの表面であってもよい。すなわち、光照射部６２ａおよび凹部６ｄの側壁６ｄｈのいずれかの表面に着色層が形成されるものであればよい。
【００９４】
（４）なお、上記着色層２ｃに代えて、蛍光を発する蛍光層を上記表面に形成してもよい。これにより、指針９のボス部７１の円錐表面を、見栄えのある斬新な発光表示にさせられる。
【００９５】
（５）以上説明した本実施形態では、入射した光を視認者が視認するように反射する表面形状として、円錐表面形状で説明したが、その表面で反射した光が主に視認者の視線方向に向くような形状であれば例えば半球形状であってもよい。
【００９６】
（６）以上説明した本実施形態では、発光ダイオード１０はいずれも白色光を発するものとし、白色光が着色層２ｃを透過することにより各種の照明色に変換されるものとして説明した。これに限らず、発光色の異なる複数の発光ダイオードを有する構成であってもよい。この場合、発光ダイオード自体の発光色で各種の照明色を形成できるので、文字板６の凹部６ｄの側壁６ｄｈや導光板６１の光照射部６１ａへの照明色出し印刷等による着色層形成が不要となる。
【図面の簡単な説明】
【００９７】
【図１】本発明の実施形態による車両用計器であるコンビネーションメータを示す正面図である。
【図２】本発明の実施形態による車両用計器であるコンビネーションメータの断面図であり、図１中のＩＩ方向からみた断面図である。
【図３】図１中の光源からの光を導く導光部と、指針の覆い部材との関係を示す模式的平面図である。
【図４】本発明の実施形態による車両用計器であるコンビネーションメータの電気回路を示す回路構成図である。
【符号の説明】
【００９８】
１  コンビネーションメータ（車両用計器）
２  表示意匠部
２ａ  文字部
２ｂ  目盛部
６  文字板
６ａ  表面
６ｂ  裏面
６ｃ  貫通孔
６ｄ  凹部（段差部）
６１  導光板（導光部）
６１ａ  導光入射面
６１ｂ  第１導光照射面
６１ｃ  第１導光反射面
６１ｄ  第２導光反射面
６１ｅ  第２導光照射面
６２  第１導光部
６３  第２導光部
６４  開口部
７  覆い部材（ボス）
７１  ボス部
７１ａ  溝
７２  キャップ部（円筒部）
８  ムーブメント
８ａ  指針軸
９  指針
１０  発光ダイオード（光源）
【図１】
2008032559.tif 000003
【図２】
2008032559.tif 000004
【図３】
2008032559.tif 000005
【図４】
2008032559.tif 000006